(57)【要約】【課題】直流交流全ての電源に使用可能であり、使用者によって接続方法を変更するだけで出力を変更可能とした電気式暖房兼調理装置を提供する。【解決手段】この暖房兼調理装置は、７つの耐熱遮熱軽量素材と２つ以上の電気発熱体、２つ以上の電気発熱体の保護管にて構成されることで提供可能とした暖房兼調理装置である。直流、交流を問わず、突入電流も発生しない為、電池等での動作も可能となり、電気発熱体を変更することで１２Ｖ、２４Ｖ、バッテリーでも使用可能となる。配線を並列、直列にすることで暖房兼調理装置として出力を一切の制御装置なしに実現している。【選択図】図１
2020205224.tif 000002
【特許請求の範囲】
【請求項１】
直流交流どちらでも動作する電気発熱体と、この電気発熱体に着脱自在のコネクタを取り付ける手段と、コネクタの接続を直列と並列に接続変更する手段と、その電圧変化による電気発熱体の発熱量差異を用いて調理暖房２つの機能を持たせる手段とを特徴とする暖房兼調理装置。
【請求項２】
前記接続方法は特別な制御装置等を用いることなく、直列と並列に接続変更することにより電気発熱体の電圧がその並列接続時を１とした場合、直列接続した場合は電気発熱体の数で割った電圧に下がること、その得られた電気発熱体の温度差異を暖房と調理に利用すること、を特徴とする請求項１に記載の暖房兼調理装置
【請求項３】
耐熱素材内側、もしくは保護管下面にアルミ等の反射板、フィルム、テープ等を加工する事により加熱面以外の面への熱を遮熱すると同時に電気発熱体から発生する赤外線が反射により加熱面への更なる加熱を提供する、またその反射板等が加熱されることにより蓄熱され、全ての反射板面にて遠赤外線が放熱することを特徴とする請求項１に記載の暖房兼調理装置。
【請求項４】
組み立ては一切の工具を使用することなく組立、解体が可能なことを特徴とする請求項１に記載の暖房兼調理装置
【請求項５】
接続される電源については通常に利用される交流電源の他に、電池、再生可能エネルギー電気、バッテリー、燃料電池等の直流電源であっても使用可能であることを特徴とする請求項１から４に記載の暖房兼調理装置。
【発明の詳細な説明】
【技術分野】
【０００１】本発明は暖房兼調理装置に関するものである
【背景技術】
【０００２】小型軽量組立式の暖房兼調理装置は火を起こす以外には従来、ストーブ、カセットコンロ、ランタン、バーナー等の燃焼を伴うものが公知である。
直流については交流よりも３０％程度エネルギーの節約になることなどから仙台等で直流活用が実用化されている。
【発明の概要】
【発明が解決しようとする課題】
【０００３】災害時は従来、火を使うカセットコンロや焚火、プロパンガスなどでの調理、暖房がなされていた。しかし、多人数が集まる避難所等では二酸化炭素の排出、火災による二次災害の危険があった【０００４】避難場所での低体温症は冬場だけではなく、お年寄り、子供  けが人や疲労、水不足、栄養不足、糖尿病等によるもので、災害時には頻発するが、治療の為の加温装置がなかった。【０００５】電気は停電時に使えないとの問題があったが、近年「蓄電池」等の高出力電池、太陽光などの再生エネルギー装置などの開発により、直流電源が多く生産されている。しかし対応する直流電源での動作可能である調理兼暖房装置がなかった。【０００６】ドローンなどの輸送技術の発展は目覚ましいが、現在の実用ドローンの積載最大は１５キロ程度。緊急避難所等への電池、食料等とともに運ぶことを可能とした小型、軽量調理兼暖房装置がなかった【０００７】平成２７年内閣府の「帰宅困難者対策のガイドライン」には公的施設管理者の役割があげられ、帰宅困難者の７２時間の受け入れの対策を迫られているが、東北震災時の用意しておくべきもの被災者アンケート２位であったカセットコンロの準備等のみで二酸化炭素を排出しない室内でも使用可能な安全かつ省スペースでの備蓄可能な調理兼暖房装置がなかった【０００８】本発明はこれらの問題点を解決し、一切の二酸化炭素等排出せず簡単に組み立ておよび解体が可能な電気発熱体の暖房機と、図４のように配線の組み換えのみで電気発熱体の出力切り替えさらに直流、交流問わず使用できる小型、軽量組立式電気暖房兼調理装置を提供する事を目的とするものである
【課題を解決するための手段】
【０００９】本発明は、軽量な耐熱、遮熱効果のある耐熱素材内面に反射板効果と蓄熱効果の高いアルミ等コーティングを行い、筐体を７つのパーツにて組立可能とし、穴をあけた耐熱素材２面にて電気発熱体を支え、保護管にて構成される。【００１０】電気発熱体の配線には着脱可能なコネクタを装備し、使用者によって選択される消費電力の切り替えを簡易に直列、並列の組み換えだけで変更可能としたものである。【００１１】低体温症者の震え等を抑制する治療法は加温である。
簡易に誰にでも組立可能として患部等をあたためる治療を提供可能としたものである。【００１２】直流、交流に対応可能な電気発熱体を装備し、、直流電源にも対応可能としたものである。【００１３】耐熱素材と電気発熱体と保護管と耐熱テープの構成により、組立可能な小型軽量化を実現したものである【００１４】備蓄時も耐熱素材自体が電気発熱体や保護管等の緩衝材として活用される手段で他の緩衝材等も必要なく小型軽量梱包を実現したものである。
【発明の効果】
【００１５】上述のように構成することにより、直流、交流どちらでも使用可能で、組立式小型軽量で配線の組み換えだけで、調理機と暖房機の切り替え可能な調理兼暖房装置を提供することができる。
【図面の簡単な説明】
【００１６】  ▲１▼から▲９▼の部品と耐熱テープによる構成により組立を行い、耐熱テープで互いを接着する事で完成する。
【図１】本発明の実施形態における調理兼暖房装置の完成時一例を示す上部からの外観図である。
【図２】本実施形態の調理兼暖房装置の完成時一例を示す横断面構成図である。
【図３】本実施形態の完成時一例を示す梱包時イメージ図である
【図４】本実施形態を１００Ｖコンセントで並列、直列接続した場合の電気発熱体への電圧変化並びに電気発熱体の状態を示した図である。
【発明を実施する為の形態】
【００１７】好適と考える本発明の実施形態を、本発明の作用効果を示して簡単に説明する
【００１８】本発明は、使用者によって選択される調理装置と暖房装置の切り替えを電気発熱体と電源コードに取り付けられた着脱可能なコネクタを、操作図並びに図４で示すとおりに結線することにより直列回路と並列回路の電圧変化にて電気発熱体の出力を変更することを可能とした装置である。
【００１９】調理装置としての輻射熱増幅効果、並びに暖房装置としての蓄熱保温効果をする為に、内側は反射素材によるコーティングをされている▲３▼から▲９▼の部品を用いる。
【００２０】▲５▼並びに▲６▼の中央部に保護管用の大きな穴を、▲７▼並びに▲８▼には電気発熱体固定と配線の為の小さな穴をあけ、差し込むだけで保護管と電気発熱体が固定できるようになっている。
【００２１】▲３▼▲４▼▲７▼▲８▼▲９▼を耐熱テープにより固定。箱を作り、その中に▲５▼▲６▼と保護管、電気発熱体を埋め込み完成となる。
【００２２】必要に応じて網などを置くことにより直接食物、缶詰等を焼くことも可能で、直列回路で中に銀紙等を置くことで銀紙のパネルヒーター化も可能である。
【産業上の利用可能性】
【００２３】災害時の緊急避難所など省スペースでストック可能で制作可能な小型軽量調理兼暖房装置として利用できる。
また平時にキャンプ場、登山時の携帯用、本発明記載の耐熱素材に反射板、電気発熱体のみでの構成は非常に小型軽量であり遮熱効果が高いことから、キャンピングカーへの搭載、輻射熱による調理方法の為気圧に左右されることがなく、宇宙空間や航空機内での焼成、暖房等にも利用可能である。
【図１】
2020205224.tif 000003
【図２】
2020205224.tif 000004
【図３】
2020205224.tif 000005
【図４】
2020205224.tif 000006